(57)【要約】【課題】最適なランディングページ検索を介したキーワード広告露出方法およびシステムを提供する。【解決手段】本発明に係る最適なランディングページ検索を介したキーワード広告露出方法は、広告主が購買した代表キーワード以外の文字列が追加されたキーワードを含む詳細キーワードの入力をユーザから受ける段階と、入力された詳細キーワードに伴う最適なランディングページを動的に探し出す段階と、最適なランディングページのページ情報をユーザに露出する段階とを含む。【選択図】図２
2008257717.tif 000002
【特許請求の範囲】
【請求項１】
キーワード広告露出方法であって、
広告主が購買した代表キーワード以外の文字列が追加されたキーワードを含む詳細キーワードの入力をユーザから受ける段階と、
前記入力された詳細キーワードに伴う最適なランディングページを動的に探し出す段階と、
前記最適なランディングページのページ情報を前記ユーザに露出する段階と、
を含むことを特徴とするキーワード広告露出方法。
【請求項２】
前記詳細キーワードは、前記広告主が購買した代表キーワードの構成文字列全体を含むことを特徴とする請求項１に記載のキーワード広告露出方法。
【請求項３】
入力された詳細キーワードに伴う最適なランディングページを動的に探し出す前記段階は、
前記入力された詳細キーワードと連関した少なくとも１つの代表キーワードを選択する段階と、
前記代表キーワードと連関した複数のページを抽出する段階と、
前記抽出された複数のページを分析して前記最適なランディングページを決定する段階と、を含むことを特徴とする請求項１に記載のキーワード広告露出方法。
【請求項４】
少なくとも１つの代表キーワードを選択する前記段階は、
前記広告主が購買した複数の代表キーワードのうちから前記詳細キーワードの構成文字列を含む少なくとも１つの代表キーワードを選択する段階、を含むことを特徴とする請求項３に記載のキーワード広告露出方法。
【請求項５】
代表キーワードと連関した複数のページを抽出する前記段階は、
前記代表キーワードを登録した広告主の広告サイトが大型広告サイトであるか否かを判断する段階と、
前記広告サイトが大型広告サイトである場合には、データベース複製によって前記代表キーワードと前記複数ページそれぞれのＵＲＬの連関関係情報を抽出する段階と、
前記抽出された連関関係情報を参照して、前記代表キーワードと連結された複数のページを抽出する段階と、を含むことを特徴とする請求項３に記載のキーワード広告露出方法。
【請求項６】
代表キーワードと連関した複数のページを抽出する前記段階は、
前記広告サイトが大型広告サイトでない場合に、ウェブロボットによって前記複数のページをダウンロードして抽出する段階、を含むことを特徴とする請求項５に記載のキーワード広告露出方法。
【請求項７】
ランディングページを決定する前記段階は、
前記抽出された複数のページそれぞれの前記詳細キーワードの出現頻度数を決定する段階と、
前記決定された出現頻度数に応じて前記ランディングページを決定する段階と、
を含むことを特徴とする請求項３に記載のキーワード広告露出方法。
【請求項８】
抽出された複数のページそれぞれの前記詳細キーワードの出現頻度数を決定する前記段階は、
前記複数のページそれぞれの前記詳細キーワードの出現回数を測定して１次頻度数として決定する段階と、
前記１次頻度数が決定されたページそれぞれにアンカー連結されたページの前記詳細キーワードの出現回数を測定して２次頻度数として決定する段階と、
を含むことを特徴とする請求項７に記載のキーワード広告露出方法。
【請求項９】
抽出された複数のページそれぞれの前記詳細キーワードの出現頻度数を決定する前記段階は、
前記１次頻度数及び２次頻度数を参照して、前記アンカー連結されたページの出現頻度数を決定する段階、をさらに含むことを特徴とする請求項８に記載のキーワード広告露出方法。
【請求項１０】
１次頻度数及び２次頻度数を参照して、前記アンカー連結されたページの出現頻度数を決定する前記段階は、
前記１次頻度数に前記２次頻度数を掛けて前記アンカー連結されたページの出現頻度数として決定する段階、を含むことを特徴とする請求項９に記載のキーワード広告露出方法。
【請求項１１】
前記アンカー連結されたページは、前記代表キーワードと連関した複数のページに含まれることを特徴とする請求項８から１０のいずれか一項に記載のキーワード広告露出方法。
【請求項１２】
決定された出現頻度数に応じて前記ランディングページを決定する前記段階は、
前記複数のページそれぞれの出現頻度数を比較し、前記出現頻度数が最も高いページを前記ランディングページとして決定する段階、を含むことを特徴とする請求項７に記載のキーワード広告露出方法。
【請求項１３】
請求項１から１０、又は請求項１２のうちのいずれか一項のキーワード広告露出方法を実行させるためのプログラムを記録したコンピュータ読み取り可能な記録媒体。
【請求項１４】
キーワード広告露出システムであって、
広告主が購買した代表キーワード以外の文字列が追加されたキーワードを含む詳細キーワードの入力をユーザから受ける入力部と、
前記入力された詳細キーワードに伴う最適なランディングページを動的に探し出す検索部と、
前記最適なランディングページのページ情報を前記ユーザに露出する露出部と、
を含むことを特徴とするキーワード広告露出システム。
【請求項１５】
前記詳細キーワードは、前記広告主が購買した代表キーワードの構成文字列全体を含むことを特徴とする請求項１４に記載のキーワード広告露出システム。
【請求項１６】
前記検索部は、
前記入力された詳細キーワードと連関した少なくとも１つの代表キーワードを選択する選択部と、
前記代表キーワードと連関した複数のページを抽出する抽出部と、
前記抽出された複数のページを分析して前記最適なランディングページを決定する決定部と、
を含むことを特徴とする請求項１４に記載のキーワード広告露出システム。
【請求項１７】
前記選択部は、
前記広告主が購買した複数の代表キーワードのうちから前記詳細キーワードの構成文字列を含む少なくとも１つの代表キーワードを選択する代表キーワード選択部、
を含むことを特徴とする請求項１６に記載のキーワード広告露出システム。
【請求項１８】
前記抽出部は、
前記代表キーワードを登録した広告主の広告サイトが大型広告サイトであるか否かを判断する広告サイト判断部と、
前記広告サイトが大型広告サイトである場合には、データベース複製によって前記代表キーワードと前記複数ページそれぞれのＵＲＬの連関関係情報を抽出する連関関係抽出部と、
前記抽出された連関関係情報を参照して、前記代表キーワードと連結された複数のページを抽出する複数ページ抽出部と、
を含むことを特徴とする請求項１６に記載のキーワード広告露出システム。
【請求項１９】
前記抽出部は、
前記広告サイトが大型広告サイトでない場合には、ウェブロボットによってページをダウンロードして前記複数のページを抽出する複数ページ抽出部、
を含むことを特徴とする請求項１８に記載のキーワード広告露出システム。
【請求項２０】
前記決定部は、
前記抽出された複数のページそれぞれの前記詳細キーワードの出現頻度数を決定する頻度数決定部と、
前記決定された出現頻度数に応じて前記ランディングページを決定するランディングページ決定部と、
を含むことを特徴とする請求項１６に記載のキーワード広告露出システム。
【請求項２１】
前記頻度数決定部は、
前記複数のページそれぞれの前記詳細キーワードの出現回数を測定して１次頻度数として決定する１次頻度数決定部と、
前記１次頻度数が決定されたページそれぞれにアンカー連結されたページの前記詳細キーワードの出現回数を測定して２次頻度数として決定する２次頻度数決定部と、
を含むことを特徴とする請求項２０に記載のキーワード広告露出システム。
【請求項２２】
前記頻度数決定部は、
前記１次頻度数および２次頻度数を参照して、前記アンカー連結されたページの出現頻度数を決定する出現頻度数決定部、
をさらに含むことを特徴とする請求項２１に記載のキーワード広告露出システム。
【請求項２３】
前記出現頻度数決定部は、
前記１次頻度数に前記２次頻度数を掛けて前記アンカー連結されたページの出現頻度数として決定することを特徴とする請求項２２に記載のキーワード広告露出システム。
【請求項２４】
前記アンカー連結されたページは、前記代表キーワードと連関した複数のページに含まれることを特徴とする請求項２１から２３のいずれか一項に記載のキーワード広告露出システム。
【請求項２５】
前記ランディングページ決定部は、
前記複数のページそれぞれの出現頻度数を比較し、前記出現頻度数が最高であるページを前記ランディングページとして決定する比較判断部を含むことを特徴とする請求項２０に記載のキーワード広告露出システム。
【発明の詳細な説明】
【技術分野】
【０００１】
本発明は、キーワード広告露出方法およびシステムに関し、より詳細には、最適なランディングページ検索を介してキーワード広告を露出する方法及びキーワード広告露出システムに関する。
【背景技術】
【０００２】
キーワード広告とは、広告主（または広告代行者）が自分の会社や商品、あるいはウェブサイトを最も適切に表現していると思われるキーワードを検索ポータルサイトに登録し、検索を所望する一般ユーザが検索語入力窓に検索語を入力して検索を実行すると、この検索語に該当するキーワードを購買した広告主の広告が、検索結果としてユーザに露出される形態の広告領域である。
【０００３】
キーワード広告において、検索語を入力した後、これに伴って露出される検索結果としては、露出用広告情報（Ｔ＆Ｄ：Ｔｉｔｌｅ  ａｎｄ  Ｄｅｓｃｒｉｐｔｉｏｎ）と、広告主の広告サイト又は広告の代表ページのＵＲＬ（Ｕｎｉｆｏｒｍ  Ｒｅｓｏｕｒｃｅ  Ｌｏｃａｔｏｒ）アドレス情報とが共にリンクされて露出される。
【０００４】
ＵＲＬアドレス情報とは、一般的に、広告主の広告サイト又は広告の代表ページに対するものであり、例えば、「ナイキＭＡＸ３６０」という検索語をユーザが入力したときには、「ナイキ」または「ナイキＭＡＸ」をキーワードとして購買した広告主の広告情報である広告主の広告サイト又は広告の代表ページがリンクされて露出されるようになる。このような露出の大部分としては、代表ＵＲＬアドレス情報がリンクされるようになるが、ユーザは、このホームページ内で再び「ナイキＭＡＸ３６０」を探すために模索しなければならないという問題が発生するようになる。
【０００５】
さらには、一般的に、「ナイキＭＡＸ３６０」というキーワードを広告主が購買しなかった場合には、広告主の広告情報は露出されもせず、広告主が広告効果を全く期待できない上に、ユーザも自分が所望する情報を得ることができないという問題点があった。
【発明の開示】
【発明が解決しようとする課題】
【０００６】
本発明は、前記のような問題点を解決するために案出されたものであって、広告主が購買した代表キーワード以外の文字列が追加されたキーワードを含む詳細キーワードの入力をユーザから受けた場合に、入力された詳細キーワードに伴う最適なランディングページを動的に探し出し、最適なランディングページのページ情報をユーザに露出することで、ユーザが実際に所望する詳細キーワードと連関した最適なランディングページ情報をユーザに提供することを目的とする。
【０００７】
また、本発明は、広告主が購買しなかったキーワードに対しても広告情報が露出される広告露出方法を提供することで、広告主に対する広告効果を増加させることを他の目的とする。
【課題を解決するための手段】
【０００８】
前記の目的を達成し、上述した従来技術の問題点を解決するために、本発明の一実施形態に係る最適なランディングページ検索を介したキーワード広告露出方法は、広告主が購買した代表キーワード以外の文字列が追加されたキーワードを含む詳細キーワードの入力をユーザから受ける段階と、前記入力された詳細キーワードに伴う最適なランディングページを動的に探し出す段階と、前記最適なランディングページのページ情報を前記ユーザに露出する段階とを含むことを特徴とする。
【０００９】
そして、本発明の１つの側面によれば、入力された詳細キーワードに伴う最適なランディングページを動的に探し出す前記段階は、前記入力された詳細キーワードと連関した少なくとも１つの代表キーワードを選択する段階と、前記代表キーワードと連関した複数のページを抽出する段階と、前記抽出された複数のページを分析して前記最適なランディングページを決定する段階とを含むことができる。
【００１０】
また、本発明の他の側面によれば、代表キーワードと連関した複数のページを抽出する前記段階は、前記代表キーワードを登録した広告主の広告サイトが大型広告サイトであるか否かを判断する段階と、前記広告サイトが大型広告サイトである場合には、データベース複製によって前記代表キーワードと前記複数ページそれぞれのＵＲＬの連関関係情報を抽出する段階と、前記抽出された連関関係情報を参照して、前記代表キーワードと連結した複数のページを抽出する段階とを含むことができる。
【００１１】
また、本発明の他の側面によれば、ランディングページを決定する前記段階は、前記抽出された複数のページそれぞれの前記詳細キーワード出現頻度数を決定する段階と、前記決定された出現頻度数に応じて前記ランディングページを決定する段階とを含むことができる。
【００１２】
また、本発明の他の実施形態において、最適なランディングページ検索を介したキーワード広告露出システムは、広告主が購買した代表キーワード以外の文字列が追加されたキーワードを含む詳細キーワードの入力をユーザから受ける入力部と、前記入力された詳細キーワードに伴う最適なランディングページを動的に探し出す検索部と、前記最適なランディングページのページ情報を前記ユーザに露出する露出部とを含むことを特徴とする。
【００１３】
また、本発明のさらに他の側面によれば、前記検索部は、前記入力された詳細キーワードと連関した少なくとも１つの代表キーワードを選択する選択部と、前記代表キーワードと連関した複数のページを抽出する抽出部と、前記抽出された複数のページを分析して前記最適なランディングページを決定する決定部とを含むことができる。
【００１４】
また、本発明のさらに他の側面によれば、前記抽出部は、前記代表キーワードを登録した広告主の広告サイトが大型広告サイトであるか否かを判断する広告サイト判断部と、前記広告サイトが大型広告サイトである場合には、データベース複製によって前記代表キーワードと前記複数ページそれぞれのＵＲＬの連関関係情報を抽出する連関関係抽出部と、前記抽出された連関関係情報を参照して、前記代表キーワードと連結した複数のページを抽出する複数ページ抽出部とを含むことができる。
【００１５】
また、本発明のさらに他の側面によれば、前記決定部は、前記抽出された複数のページそれぞれの前記詳細キーワード出現頻度数を決定する頻度数決定部と、前記決定された出現頻度数に応じて前記ランディングページを決定するランディングページ決定部とを含むことができる。
【００１６】
また、本発明のさらに他の側面によれば、前記頻度数決定部は、前記複数のページそれぞれの前記詳細キーワード出現回数を測定して１次頻度数として決定する１次頻度数決定部と、前記１次頻度数が決定されたページそれぞれにアンカー連結されたページの前記詳細キーワード出現回数を測定して２次頻度数として決定する２次頻度数決定部と、前記１次頻度数および２次頻度数を参照して、前記アンカー連結されたページの出現頻度数を決定する出現頻度数決定部とを含むことができる。
【発明の効果】
【００１７】
本発明によれば、広告主が購買した代表キーワード以外の文字列が追加されたキーワードを含む詳細キーワードの入力をユーザから受け、入力された詳細キーワードに伴う最適なランディングページを動的に探し出し、最適なランディングページのページ情報をユーザに露出する。したがって、広告主が購買した代表キーワードと連関した広告リンク内の詳細ページの内容を動的に探し出して、実際に詳細キーワードと関連する広告を迅速に露出させることができ、ユーザの満足度と追加収益を高めつつ、広告主に対して効率的な広告活動を提供することができる効果がある。
【発明を実施するための最良の形態】
【００１８】
以下、添付の図面を参照しながら、本発明の好ましい実施形態について説明する。
【００１９】
図１は、本発明の一実施形態において、最適なランディングページ検索を介したキーワード広告露出方法及びキーワード広告露出システムを概括的に示した図である。図１に示すように、キーワード広告露出システム１２０は、ユーザ１１１、１１２、１１３が入力した詳細キーワードと連関した最適なランディングページのページ情報を探し出してユーザに露出する。
【００２０】
最適なランディングページのページ情報は、詳細キーワードに伴って動的に探し出されて露出されるようになる。ランディングページのページ情報を探し出すために、キーワード広告露出システム１２０は、詳細キーワードと連関した複数の代表キーワードを選択し、選択された複数の代表キーワードと連関した複数のページを抽出する。ここで、代表キーワードとは、広告主が自分の広告ページを露出させるために予め購買したものであり、代表キーワードと連関した複数のページは、広告ページを含むことができる。
【００２１】
複数のページの抽出は、広告主の広告主サイトが大型サイトであるか否かによってその方法が変化する。本発明の一実施形態においては、広告主サイトが大型である場合に、キーワード広告露出システム１２０は、複数のページを抽出するために、広告主サーバ１３０のデータベース複製（データベースクローニング（database cloning））によって代表キーワードと複数のページそれぞれのＵＲＬの連関関係情報を抽出することができる。また、抽出された連関関係情報を参照して、複数のページを抽出することができる。さらに、キーワード広告露出システム１２０は、抽出した複数のページを分析して最適なランディングページを決定することができる。
【００２２】
以下、図２から図８を参照しながら、最適なランディングページ検索を介したキーワード広告露出方法及びキーワード広告露出システムについてより詳しく説明する。図２は、本発明の一実施形態において、最適なランディングページ検索を介したキーワード広告露出方法を示したフローチャートである。図２に示されたように、最適なランディングページ検索を介したキーワード広告露出方法は、段階Ｓ２１０ないし段階Ｓ２３０で実行されるようになる。
【００２３】
段階Ｓ２１０で、最適なランディングページ検索を介したキーワード広告露出システムは、広告主が購買した代表キーワード以外の文字列が追加されたキーワードを含む詳細キーワードの入力をユーザから受けることができる。ここで、詳細キーワードは、広告主が購買した代表キーワードの構成文字列全体を含んでいる。より具体的に説明すれば、詳細キーワードは、広告主が購買した代表キーワードと同一であってもよいし、代表キーワードに追加された文字列をさらに含んでもよい。例えば、広告主が購買したキーワードが「ナイキ」であれば、「ナイキ」自体が詳細キーワードになることもできるし、「ナイキ」に文字列が追加された「ナイキＭＡＸ」または「ナイキＭＡＸ３６０」のような文字形式が詳細キーワードになることもできる。さらに、本発明の一実施形態においては、「ナイキ」を含んでいなくても、「ナイキ」と連関性が認められる文字列が含まれる場合であっても、詳細キーワードとなり得る。
【００２４】
既存のキーワード広告では、広告主は代表キーワードを購買し、広告主が購買した代表キーワードをユーザが入力窓に入力すると、広告主が予め定めておいた代表ページがユーザに露出されるように設定することができる。また、代表キーワードの文字列が含まれたキーワードが入力された場合でも、代表キーワードと連関した代表ページをユーザに露出することができる。しかしながら、本発明のキーワード広告露出システムは、ユーザによって代表キーワード及び詳細キーワードが入力されたときに、最適なランディングページを探し出してユーザに露出することができ、広告主に対する広告効果を極大化させることができる上に、ユーザに最適な広告情報を提供することができる。
【００２５】
段階Ｓ２２０で、キーワード広告露出システムは、ユーザにより入力された詳細キーワードの受信に伴って最適なランディングページを動的に探し出す。ここで、ランディングページとは、ユーザ（検索ユーザ）が広告主の広告をクリックした後に初めて対面するページを意味するものである。キーワード広告露出システムは、最適なランディングページを動的に探し出すことができるが、最適なランディングページを動的に探し出すために当該キーワード広告露出システムは、ユーザが入力した詳細キーワードそれぞれ（Ｃａｓｅ  ｂｙ  Ｃａｓｅ形式）に応じた最適なランディングページを探し出すことができる。図２に示すように、段階Ｓ２２０は、段階Ｓ２２１から段階Ｓ２２３を含んで実行される。
【００２６】
段階Ｓ２２１で、キーワード広告露出システムは、入力された詳細キーワードと連関した少なくとも１つの代表キーワードを選択することができる。入力された詳細キーワードと連関した少なくとも１つの代表キーワードを選択するために、段階Ｓ２２１で、キーワード広告露出システムは、広告主が購買した複数の代表キーワードのうちから詳細キーワードの構成文字列を含む少なくとも１つの代表キーワードを選択することができる。例えば、ユーザが入力した詳細キーワードが「ナイキＭＡＸ３６０」であれば、この詳細キーワードが含む構成文字列は、「ナイ」、「ナイキ」、「ナイキＭＡＸ」、「ＭＡＸ」、「ＭＡＸ３６０」、「３６０」、及び「ナイキＭＡＸ３６０」などを含む複数の文字列のうちの少なくとも１つとなる。キーワード広告露出システムは、このような複数の構成文字列のうちから選択された少なくとも１つの文字列と等しい代表キーワードを選択することができる。ここで、代表キーワードとは、広告主が購買したキーワードを意味するものである。上述のように例示した詳細キーワード「ナイキＭＡＸ３６０」を一例に説明すると、広告主が「ナイキ」および「ナイキＭＡＸ」を代表キーワードとして購買した場合、ユーザが入力した詳細キーワードである「ナイキＭＡＸ３６０」に連関した代表キーワードとして「ナイキ」および「ナイキＭＡＸ」が選択されるようになる。
【００２７】
段階Ｓ２２２で、キーワード広告露出システムは、代表キーワードと連関した複数のページを抽出することができる。ここで、複数のページは、ユーザが代表キーワードを検索窓に入力し、この入力による検索結果としてユーザに露出される広告をユーザがクリックすることによってユーザに提供される代表ページを含むことができる。さらに、複数のページは、代表ページにアンカー連結されたページを含むことができる。ここで、アンカー（ａｎｃｈｏｒ）連結とは、特定のページに他のページをリンク連結させるための連結構造を意味するものである。また、ページとは、多様なコンテンツページを含むことができ、ウェブページを意味する。さらに、コンテンツページは、文章、音楽、および動画コンテンツページを含むことができる。段階Ｓ２２２については、図３を参照しながらより詳細に説明する。
【００２８】
段階Ｓ２２３で、キーワード広告露出システムは、抽出された複数のページを分析して最適なランディングページを決定することができる。キーワード広告露出システムは、ユーザからの詳細キーワードに伴う最適なランディングページのページ情報をユーザに露出するために、抽出された複数のページを分析することによって、最適なランディングページを決定することができる。段階Ｓ２２３については、図４を参照しながらより詳細に説明する。
【００２９】
段階Ｓ２３０で、キーワード広告露出システムは、最適なランディングページのページ情報をユーザに露出する。ここで、最適なランディングページのページ情報は、ランディングページのＵＲＬアドレスを含むこともできるし、ランディングページの要約文や内容の一部を含むこともできる。また、キーワード広告露出システムは、最適なランディングページのＵＲＬアドレスを直接露出した後に、ユーザがこのＵＲＬアドレスをクリックした場合、最適なランディングページをユーザに直接露出することができる。
【００３０】
図３は、本発明の一実施形態において、代表キーワードと連関した複数のページを抽出する段階を示したフローチャートである。代表キーワードと連関した複数のページを抽出する段階Ｓ２２２は、段階Ｓ３１１から段階Ｓ３１３を含んで実行される。さらに、本発明の他の実施形態においては、代表キーワードと連関した複数のページを抽出する段階は、段階Ｓ３１１から段階Ｓ３２２を含んで実行される。
【００３１】
段階Ｓ３１１で、キーワード広告露出システムは、代表キーワードを登録した広告主の広告サイトが大型サイトであるか否かを判断する。広告主の広告サイトが大型サイトであるか否かを判断するために、キーワード広告露出システムは、キーワードを購買した複数の広告主の広告サイト情報を含むサイトデータベースを維持することができ、このサイトデータベースを参照しながら、代表キーワードを登録した広告主の広告サイトが大型サイトであるか否かを判断することができる。また、本発明の他の実施形態によれば、キーワード広告露出システムは、広告主の広告サイトが大型サイトであるか否かを判断するために、広告主又は広告サイトの識別子を用いることで、代表キーワードを登録した広告主の広告サイトが大型サイトであるか否かを判断することができる。ここで、識別子は、判断方法によって多様に決定することができ、一般的に、大型広告サイトとは、多様な商品を競売及び販売している広告サイトを意味する。
【００３２】
段階Ｓ３１１で、キーワード広告露出システムは、代表キーワードを登録した広告主の広告サイトが大型サイトであるか否かを判断した後に、広告サイトが大型広告サイトである場合には、段階Ｓ３１２で、データベース複製（database cloning）によって代表キーワードと複数ページそれぞれのＵＲＬの連関関係情報を抽出することができる。ここで、データベースとは、広告主の大型広告サイトが維持しているデータベースを意味するものであり、キーワード広告露出システムは、データベース複製によって大型広告サイトの広告主が購買した代表キーワードと大型広告サイトに含まれている複数のページそれぞれのＵＲＬの連関関係情報を抽出することができる。ここで、連関関係情報は、代表キーワードと連関した複数のページそれぞれのアンカー連結構造情報を含むことができる。例えば、大型広告サイトの広告主が購買したキーワードが「ナイキ」であり（大型広告サイトの広告主は、実際に数百個以上の代表キーワードを購買する）、この代表キーワード「ナイキ」の広告に対して直接リンク連結されているページが代表ページであるとすると、キーワード広告露出システムは、代表ページにアンカー連結されているページを含む複数のページそれぞれのＵＲＬと代表キーワードである「ナイキ」との連関関係情報を抽出することができる。
【００３３】
段階Ｓ３１３で、キーワード広告露出システムは、抽出された連関関係情報を参照して、代表キーワードと連結した複数のページを抽出する。より具体的に説明すると、段階Ｓ３１３で、キーワード広告露出システムは、代表キーワードと連結したページの抽出処理において、複数ページは、代表キーワードに直接連結された代表ページ、代表ページにリンク連結されたページ、及びリンク連結されたページに再びリンク連結されたページを含むことができる。上述のように連関関係情報を参照することで、代表キーワードと連結した複数のページすべてを抽出することもでき、代表キーワードが複数である場合には、それぞれの代表キーワードと連結した複数のページすべてを抽出することもできる。なお、複数のページは、代表キーワードと直接的にリンク連結したページのみを意味することもできる。
【００３４】
段階Ｓ３１１で、キーワード広告露出システムは、代表キーワードを登録した広告主の広告サイトが大型サイトであるか否かを判断した後に、広告サイトが大型広告サイトでない場合には、段階Ｓ３２２で、ウェブロボットによって複数のページをダウンロードして抽出することができる。より具体的に説明すると、複数のページは、代表キーワードと連関した複数のページである。このような複数のページは、代表キーワードを購買した広告主の広告サイトが大型広告サイトでない場合、ウェブロボットを用いて代表キーワードと連関した複数のページをダウンロードして抽出する。ここで、ウェブロボットとは、ウェブページ収集プログラムを意味するものであり、ウェブロボットは、リンクに沿ってインターネット上を巡回しながら、大型広告サイトでない広告サイトのリンクをあらゆる経路から見つけ出して複数のページ情報を収集することができる。キーワード広告露出システムは、ウェブロボットによって収集された複数のページ情報を用いることで、複数のページをダウンロードして抽出することができる。
【００３５】
このように、大型広告サイトであるか否かに応じて複数のページを抽出する方法を相違させることで、キーワード広告露出システムは、複数のページの抽出における効率性を高めることができる。また、大型広告サイトに含まれたすべてのページをウェブロボットによって検索しなくてもよいという利点がある上に、大型広告サイトでないサイトに対しては、データベース複製を行わないことで、データベース複製によるキーワード広告露出システムの過負荷を防ぐことができる。
【００３６】
図４は、本発明の一実施形態において、抽出された複数のページを分析して最適なランディングページを決定する段階を示したフローチャートである。抽出された複数のページを分析して最適なランディングページを決定する段階Ｓ２２３は、段階Ｓ４０１及び段階Ｓ４０２を含んで実行される。
【００３７】
段階Ｓ４０１で、キーワード広告露出システムは、抽出された複数のページそれぞれにおけるユーザが入力した詳細キーワードの出現頻度数を決定する。ここで、出現頻度数は、抽出された複数のページに詳細キーワードが出現した回数情報を含むことができ、回数情報を用いて所定の計算方法に基づいて計算された結果値を含む。また、計算方法は多様であり、キーワード広告露出システムは、出現頻度数の計算において、詳細キーワードの有効出現可否を判断する段階を含むことができる。有効出現可否を判断する方法としては、詳細キーワードに含まれた構成文字列が含まれており、意味的に又は文法的に有効出現であると判断することができない文字列であるか否かを決定することによって判断することができる。段階Ｓ４０１については、図５を参照しながら詳細に説明する。
【００３８】
段階Ｓ４０２で、キーワード広告露出システムは、決定された出現頻度数に応じてランディングページを決定することができる。決定された出現頻度数に応じてランディングページを決定するために、キーワード広告露出システムは、複数のページそれぞれにおける詳細キーワードの出現頻度数を比較し、出現頻度数が最も高い（最高である）ページをランディングページとして決定することができる。なお、出現頻度数が最も高いページを最適なランディングページとして決定する実施形態は、本発明の一例に過ぎず、本発明は、他の多様な方法により最適なランディングページを決定することができる。
【００３９】
図５は、本発明の一実施形態における抽出された複数のページそれぞれの詳細キーワード出現頻度数を決定する段階を示したフローチャートである。抽出された複数のページそれぞれの詳細キーワード出現頻度数を決定する段階Ｓ４０１は、段階Ｓ５０１から段階Ｓ５０３を含んで実行される。
【００４０】
段階Ｓ５０１で、キーワード広告露出システムは、複数のページそれぞれの詳細キーワードの出現回数を測定して１次頻度数として決定する。ここで、複数のページとは、代表キーワードと連関したページであり、連関する複数のページとして抽出されたすべてのページそれぞれに対する詳細キーワードの出現回数を測定する。また、複数のページには、代表ページや代表ページとアンカー連結したすべてのページが含まれる。
【００４１】
段階Ｓ５０２で、キーワード広告露出システムは、１次頻度数が決定されたページそれぞれにアンカー連結されたページの詳細キーワードの出現回数を測定して２次頻度数として決定する。より具体的に説明すると、キーワード広告露出システムは、１次頻度数が決定されたページは、代表キーワードと連関した複数のページに含まれるので、１次頻度数が決定されたページそれぞれにアンカー連結されたページの詳細キーワードの出現回数を測定し、これをアンカー連結されたページの２次頻度数として決定することができる。１次頻度数が決定されたページにアンカー連結されたページには、１次頻度数が決定されたページも含まれ、２次頻度数が決定された複数のページのうちから最適なランディングページを決定する。
【００４２】
段階Ｓ５０３で、キーワード広告露出システムは、１次頻度数及び２次頻度数を参照して、アンカー連結されたページの出現頻度数を決定する。また、１次頻度数及び２次頻度数を参照して、アンカー連結されたページの出現頻度数を決定するために、段階Ｓ５０３で、キーワード広告露出システムは、１次頻度数に２次頻度数を掛けてアンカー連結されたページの出現頻度数として決定することができる。キーワード広告露出システムは、このように１次頻度数及び２次頻度数を参照して、出現頻度数を決定することができるが、出現頻度数の決定において、キーワード広告露出システムは、１次頻度数を出現頻度数として決定することもできる。また、キーワード広告露出システムは、２次頻度数を出現頻度数として決定することもできる。
【００４３】
本発明の一実施形態において、キーワード広告露出システムは、１次頻度数に２次頻度数を掛けてアンカー連結されたページの出現頻度数として決定することができる。本発明の他の実施形態として、キーワード広告露出システムは、１次頻度数に２次頻度数を加えてアンカー連結されたページの出現頻度数として決定することもできる。すなわち、本発明に係るキーワード広告露出システムは、１次頻度数及び２次頻度数を用いることで、出現頻度数を決定する多様な実施形態を含むことができる。
【００４４】
段階Ｓ５０１から段階Ｓ５０３において、アンカー連結されたページは、代表キーワードと連関した複数のページに含まれる。より具体的に説明すると、図３の段階Ｓ３１１から段階Ｓ３１３、又は段階Ｓ３２２を参照しながら説明した代表キーワードと連関した複数のページには、１次頻度数が測定されたページにアンカー連結されたページが含まれるということを意味する。
【００４５】
図６は、本発明の一実施形態において、最適なランディングページ検索を介したキーワード広告露出システムを示したブロック図である。図６に示すように、最適なランディングページ検索を介したキーワード広告露出システム６００は、入力部６１０と、検索部６２０と、露出部６３０とを含むことができる。
【００４６】
入力部６１０は、広告主が購買した代表キーワード以外の文字列が追加されたキーワードを含む詳細キーワードの入力をユーザから受け付けることができる。ここで、詳細キーワードは、広告主が購買した代表キーワードの構成文字列全体を含むことができる。
【００４７】
検索部６２０は、ユーザから入力された詳細キーワードに伴って最適なランディングページを動的に探し出す。図６に示すように、検索部６２０は、選択部６２１と、抽出部６２２と、決定部６２３とを含むことができる。選択部６２１は、ユーザから入力された詳細キーワードと連関した少なくとも１つの代表キーワードを選択する。また、選択部６２１は、広告主が購買した複数の代表キーワードのうちから詳細キーワードの構成文字列を含む少なくとも１つの代表キーワードを選択する代表キーワード選択部を含むことができる。
【００４８】
抽出部６２２は、代表キーワードと連関した複数のページを抽出する。また、決定部６２３は、抽出された複数のページを分析して最適なランディングページを決定する。さらに、露出部６３０は、最適なランディングページのページ情報をユーザに露出する。
【００４９】
図７は、本発明の一実施形態における代表キーワードと連関した複数のページを抽出する抽出部を示したブロック図である。図７に示すように、抽出部６２２は、広告サイト判断部７０１と、連関関係抽出部７０２と、複数ページ抽出部７０３とを含むことができる。
【００５０】
広告サイト判断部７０１は、代表キーワードを登録した広告主の広告サイトが大型広告サイトであるか否かを判断する。また、連関関係抽出部７０２は、広告サイトが大型広告サイトである場合、データベース複製によって代表キーワードと複数ページそれぞれのＵＲＬの連関関係情報を抽出する。さらに、複数ページ抽出部７０３は、抽出された連関関係情報を参照して、代表キーワードと連結した複数のページを抽出する。
【００５１】
また、本発明の他の実施形態においては、複数ページ抽出部７０３は、広告サイトが大型広告サイトでない場合、ウェブロボットによって代表キーワードと連関したページをダウンロードして複数のページを抽出する。
【００５２】
図８は、本発明の一実施形態における抽出された複数のページを分析して最適なランディングページを決定する決定部を示したブロック図である。図８に示すように、決定部６２３は、頻度数決定部８１０と、ランディングページ決定部８２０とを含むことができる。
【００５３】
頻度数決定部８１０は、抽出された複数のページそれぞれの詳細キーワードの出現頻度数を決定する。図８に示すように、頻度数決定部８１０は、１次頻度数決定部８１１と、２次頻度数決定部８１２と、出現頻度数決定部８１３とを含むことができる。１次頻度数決定部８１１は、複数のページそれぞれの詳細キーワード出現回数を測定して１次頻度数として決定する。また、２次頻度数決定部８１２は、１次頻度数が決定されたページそれぞれにアンカー連結されたページの詳細キーワードの出現回数を測定して２次頻度数として決定する。
【００５４】
出現頻度数決定部８１３は、１次頻度数及び２次頻度数を参照して、アンカー連結されたページの出現頻度数を決定する。出現頻度数決定部８１３は、１次頻度数に２次頻度数を掛けてアンカー連結されたページの出現頻度数として決定する。本発明の他の実施形態としては、アンカー連結されたページは、代表キーワードと連関した複数のページに含まれる。
【００５５】
ランディングページ決定部８２０は、決定された出現頻度数に応じてランディングページを決定することができる。ランディングページ決定部８２０は、複数のページそれぞれの出現頻度数を比較し、出現頻度数が最高であるページをランディングページとして決定する比較判断部を含むことができる。
【００５６】
なお、本発明に係る最適なランディングページ検索を介したキーワード広告露出方法は、コンピュータにより具現される多様な動作を実行するためのプログラム命令を含むコンピュータ読取可能な記録媒体を含む。当該記録媒体は、プログラム命令、データファイル、データ構造などを単独または組み合わせて含むこともでき、記録媒体およびプログラム命令は、本発明の目的のために特別に設計されて構成されたものでもよく、コンピュータソフトウェア分野の技術を有する当業者にとって公知であり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、およびＲＯＭ、ＲＡＭ、フラッシュメモリなどのようなプログラム命令を保存して実行するように特別に構成されたハードウェア装置が含まれる。また、記録媒体は、プログラム命令、データ構造などを保存する信号を送信する搬送波を含む光または金属線、導波管などの送信媒体でもある。プログラム命令の例としては、コンパイラによって生成されるもののような機械語コードだけでなく、インタプリタなどを用いてコンピュータによって実行される高級言語コードを含む。前記したハードウェア要素は、本発明の動作を実行するために一以上のソフトウェアモジュールとして作動するように構成することができ、その逆もできる。
【００５７】
以上、本発明を好ましい実施形態に則して説明したが、本発明の技術分野において熟練した当業者にとっては、特許請求の範囲に記載された本発明の技術的思想及びその領域から逸脱しない範囲内で、本発明を多様に修正及び変更させることができることを理解することができるであろう。すなわち、本発明の技術的範囲は、特許請求の範囲に基づいて定められ、発明を実施するための最良の形態により制限されるものではない。
【図面の簡単な説明】
【００５８】
【図１】本発明の一実施形態において、最適なランディングページ検索を介したキーワード広告露出方法およびシステムを概括的に示した図である。
【図２】本発明の一実施形態において、最適なランディングページ検索を介したキーワード広告露出方法を示したフローチャートである。
【図３】本発明の一実施形態において、代表キーワードと連関した複数のページを抽出する段階を示したフローチャートである。
【図４】本発明の一実施形態において、抽出された複数のページを分析して最適なランディングページを決定する段階を示したフローチャートである。
【図５】本発明の一実施形態において、抽出された複数のページそれぞれの詳細キーワードの出現頻度数を決定する段階を示したフローチャートである。
【図６】本発明の一実施形態において、最適なランディングページ検索を介したキーワード広告露出システムを示したブロック図である。
【図７】本発明の一実施形態において、代表キーワードと連関した複数のページを抽出する抽出部を示したブロック図である。
【図８】本発明の一実施形態において、抽出された複数のページを分析して最適なランディングページを決定する決定部を示したブロック図である。
【符号の説明】
【００５９】
６００：最適なランディングページ検索を介したキーワード広告露出システム
６１０：入力部
６２０：検索部
６２１：選択部
６２２：抽出部
６２３：決定部
６３０：露出部
７０１：広告サイト判断部
７０２：連関関係抽出部
７０３：複数ページ抽出部
８１０：頻度数決定部
８１１：１次頻度数決定部
８１２：２次頻度数決定部
８１３：出現頻度数決定部
８２０：ランディングページ決定部
【図１】
2008257717.tif 000003
【図２】
2008257717.tif 000004
【図３】
2008257717.tif 000005
【図４】
2008257717.tif 000006
【図５】
2008257717.tif 000007
【図６】
2008257717.tif 000008
【図７】
2008257717.tif 000009
【図８】
2008257717.tif 000010